(57)【要約】【課題】  強固で、かつ、切り離しがスムーズになされるシートの切り離し構造、さらには、その切り離し構造を持つ開封型封筒及び窓付き封筒の提供。【解決手段】  シートに複数の切り目１０が切り離し方向に沿って配置されて構成されるシートの切り離し構造において、切り目１０の一つおきのものそれぞれが互いに略平行に位置するとともに、切り離し方向において前後する２個の前記切り目１０ａ、１０ｂおいて、前段の切り目１０ａのおける終端１２の延長線上に後段の切り目１０ｂが位置し、かつ、前段の切り目１０ａと後段の切り目１０ｂとが互いに相対する側において鋭角である仮想交差角Ｙを持つ。【選択図】図３
2011225275.tif 000002
【特許請求の範囲】
【請求項１】
シートに複数の切り目が切り離し方向に沿って配置されて構成されるシートの切り離し構造において、
前記切り目の一つおきのものそれぞれが互いに略平行に位置するとともに、
前記切り離し方向において前後する２個の前記切り目おいて、前段の前記切り目のおける終端の延長線上に後段の前記切り目が位置し、かつ、前段の前記切り目と後段の前記切り目とが互いに相対する側において鋭角である仮想交差角を持つ、
ことを特徴とするシートの切り離し構造。
【請求項２】
前段の前記切り目と後段の前記切り目との長さが同じである請求項１記載のシートの切り離し構造。
【請求項３】
前段の前記切り目と後段の前記切り目との長さが異なる請求項１記載のシートの切り離し構造。
【請求項４】
前記鋭角の大きさを４０〜６０度とする請求項１記載のシートの切り離し構造。
【請求項５】
請求項１、２、３、４記載のシートの切り離し構造により開封がなされる開封型封筒。
【請求項６】
請求項１、２、３、４記載のシートの切り離し構造により窓部分の切り取りがなされる窓付き型封筒。
【発明の詳細な説明】
【技術分野】
【０００１】  この発明は、シートの切り離し構造及びその切り離し構造を持つ開封型封筒及び窓付き型封筒に関する。
【背景技術】
【０００２】  封筒としてミシン目よりなる開封部を備えるものがある。そのミシン目は切り目が切り離し方向に沿って直線状に所定の間隔をおいて設けられており、その間隔は切り離しが容易になされるようにきわめて小さくされている。したがって、何かの外力がかかることでミシン目部分が破損しやすいという基本的な問題がある。とくに封筒は郵便局等において自動選別機のローラーに通されてその処理がなされるが、その際にかかる押圧力や引張り力によりその切り目の間部分が破れてしまう問題が発生しており、これが、開封型封筒の普及の妨げとなっている。また、最近では透明窓部分をミシン目により切り離してそこにある透明シートを取り除くことで封筒のリサイクル使用が可能な窓付き封筒も提供されているが、その普及も上記と同様の理由により妨げられている。
【発明の概要】
【発明が解決しようとする課題】
【０００３】  この発明は上記の事情に鑑みて行ったもので、強固で、かつ、切り離しがスムーズになされるシートの切り離し構造、さらには、その切り離し構造を持つ開封型封筒及び窓付き封筒を提供することを目的とする。
【課題を解決するための手段】
【０００４】  請求項１の発明では、シートに複数の切り目が切り離し方向に沿って配置されて構成されるシートの切り離し構造において、前記切り目の一つおきのものそれぞれが互いに略平行に位置するとともに、前記切り離し方向において前後する２個の前記切り目おいて、前段の前記切り目のおける終端の延長線上に後段の前記切り目が位置し、かつ、前段の前記切り目と後段の前記切り目とが互いに相対する側において鋭角である仮想交差角を持つことを特徴とするシートの切り離し構造を提供する。【０００５】  上記発明の構成によれば、切り離しの力が働くことで前段の切り目の終端が切り裂かれて後段の切り目に至り、その後段の切り目の終端がさらに切り裂かれて次段の切り目に至り、このようにしてシートは順次切り目に沿って切り離されていく。前段の切り目の終端の延長線上に後段の切り目が位置し、かつ、前段の切り目と後段の切り目とが互いに相対する側において鋭角である仮想交差角を持つようになっているので、その前段と後段の切り目の間部分の強度が大きくなって破損しにくい。従来のように前段と後段の切り目が直線状に位置してその端部どうしが相対する場合には、その間部分の強度は小さく破損の恐れがある。【０００６】  切り離し方向に沿って力がかけられる位置においては前段の切り目と後段の切り目との長さは同じとされる。切り離し方向と異なる方向に力がかけられる位置においては前段の切り目と後段の切り目との長さが異なるようにされ、長さの大きい切り目の方向に沿って切り離し力が働くようにし、その切り離し力が上記切り離し方向と異なる方向への力に抗することで切り離し方向に沿うスムーズな切り離しが行われる。前段の切り目と後段の切り目とがなす仮想交差角の大きさは４０〜６０度とされる。【０００７】  請求項１の発明のシートの切り離し構造により開封されるようにすることで開封ラインが強固な開封型封筒（請求項５の発明）が得られ、請求項１の発明のシートの切り離し構造により窓部の切り取りがなされることで切り取りラインが強固な窓付き型封筒（請求項６の発明）が得られる。
【発明の効果】
【０００８】  この発明によれば、強固で、かつ、切り離しがスムーズになされるシートの切り離し構造が得られる。さらには、その切り離し構造を持つことで、郵便局等において自動選別機のローラーに通されてその処理がなされた際にその切り離しラインが破損することがない開封型封筒及び窓付き封筒が得られる。
【図面の簡単な説明】
【０００９】
【図１】  窓付き開封型封筒の正面図
【図２】  窓付き開封型封筒の展開図
【図３】  開封ラインＲを構成する切り目の配置構成図
【図４】  開封ラインＲを構成する切り目の配置構成図
【図５】  開封動作説明図
【図６】  開封時の封筒の正面図
【発明を実施するための形態】
【００１０】  図１はシートの切り離し構造（請求項１の発明）を持つ窓付き開封型封筒（請求項５、請求項６の発明）の正面図、図２は同展開図である。窓付き開封型封筒１は表面部２と裏面部３とが折り重ねられ、側部６、６が両側から貼り付け固定されて構成されている。表面部２の一方側上部に内面側に透明シート４が貼られた窓部５を備え、その窓部５を一体に切り離すように開封ラインＲが形成されている。開封ラインＲの一部は蓋片７に位置し、そこには半円形の指掛け部９が切り込み形成されている。上記開封ラインＲのＡ、Ｂ、Ｃ、Ｄ部分とＥ、Ｆ部分とはその開封ラインＲを構成する切り目１０の長さ構成が異なっている。
【００１１】  図３は上記Ａ、Ｂ、Ｃ、Ｄ部分の切り目の配置構成を示し、切り目１０それぞれは３ｍｍの同長さで、切り目の一つおきのものそれぞれが互いに略平行に位置している。また、切り離し方向Ｘにおいて前後する２個の切り目１０ａ、１０ｂおいて、切り目１０ａの終端１２の延長線上に後段の切り目１０ｂの途中部分１４が位置し、かつ、前段の切り目１０ａと後段の切り目１０ｂとが互いに相対する側において５０度の仮想交差角Ｙを持つように配置されている。上記切り目１０ａの終端１２と後段の切り目１０ｂの途中部分１４との間隔は０．８ｍｍとされている。図４は上記Ｅ、Ｆ部分の切り目１０の配置構成を示し、切り目１０それぞれは４ｍｍと２ｍｍのものが交互に、その他は上記と同様にして配置されている。
【００１２】  以下、上記窓付き開封型封筒１の開封動作を説明する。まず、裏側上部に位置する蓋片７の指掛け部９を起し持って表面部２の上縁２０側に引くことで開封ラインＲのＤ、Ｆ部分を切り離し、図５に示すように、３角状の引っ張り片２１を立ち上げ、その引っ張り片２１を左方向に引くことでＡ、Ｅ、Ｂ部分を切り離して一方の側縁２３の位置まで開き、その開いたものを上縁２０側に引くことでＣ部分を切り離して切り取り部３０の全体を切り取り、図６に示すように、開封する。
【００１３】  上記の開封に際し、開封ラインＲにおいて引っ張りによる切り離しの力が働くことで、図３において、前段切り目１０ａの終端１２が切り裂かれて後段の切り目１０ｂの途中部分１４に至り、その後段の切り目１０ｂの終端１２がさらに切り裂かれて次段の切り目１０の途中部分１４に至り、このようにして、切り目１０それぞれに沿って順次切り離されていく。開封ラインＲのＡ、Ｂ、Ｃ、Ｄ部分においてはその切り離し方向に沿って切り離しの力がかかるが、Ｅの部分においては側方、Ｆの部分においては下方とそれぞれ切り離し方向と斜めとなる方向において力がかかる。したがって、Ｅの部分においては下方に向く側の切り目１０を長くし、Ｆの部分においては側方に向く側の切り目１０を長くし、その長くした切り目１０それぞれに沿って切り離し力が働くようにして、その切り離し力が斜めの方向にかかる力に抗することで開封ラインＲに沿ってスムーズな切り離しが行われるようにしている。
【００１４】  上記のように切り取り部３０が除去され開封されることで内部の送付書類が取り出せ、また、残った封筒４０は透明シート４が貼られた窓部５が無いことでそのままリサイクル使用することが可能となる。くわえて、切り取り部３０を表面部２の一方側において切り取る形とすることで、残った封筒４０は切り取り部３０が除去された逆側が送付書類の収納ポケット５０として利用でき、これにより送られてきた送付書類をそのまま収納するように使用できる。
【符号の説明】
【００１５】１  窓付き開封型封筒
２  表面部
３  裏面部
５  窓部
１０  切り目
１０ａ  切り目
１０ｂ  切り目
１２  終端
Ｒ  開封ライン
【図１】
2011225275.tif 000003
【図２】
2011225275.tif 000004
【図３】
2011225275.tif 000005
【図４】
2011225275.tif 000006
【図５】
2011225275.tif 000007
【図６】
2011225275.tif 000008